(57)【特許請求の範囲】
【請求項１】
ランダムアクセス可能な記録媒体に記録された複数のフレームからなる画像データを再生する再生手段と、
前記再生手段によって再生される画像データに編集処理を施す画像編集手段と、
前記画像編集手段によって編集処理を施された画像データを前記再生手段によって画像データを再生した記録媒体と同一の記録媒体に記録する記録手段と、
操作されることによって操作入力信号を生成する操作入力手段と、
前記画像データを再生中に、前記操作入力手段によって生成された操作入力信号が入力されると、前記操作入力信号が入力された第１の時刻に対応するフレームに対して編集処理を施すように前記画像編集手段を制御する処理と、前記画像編集手段によって編集処理を施したフレームを少なくとも含む画像データを前記記録媒体に記録するように前記記録手段を制御する処理とを開始する制御手段と
を備え、
前記制御手段は、
前記画像データを再生中に、前記操作入力手段によって生成された操作入力信号が入力された場合に、操作入力信号が入力された第１の時刻から所定時間経過した第２の時刻までの期間に含まれる全てのフレームに対して編集処理を施すように前記画像編集手段を制御すると共に、
前記画像編集手段によって編集処理を施した結果、全てのフレームを含む画像データの容量が当該編集処理を施す前に編集処理前の画像データが記録されていた第１のアドレスに記録できない容量になった場合に、編集処理を施した全てのフレームを含む画像データのうち、第１のアドレスに記録できない容量の画像データを前記記録媒体の第２のアドレスに記録するように前記記録手段を制御する画像編集装置。
【請求項２】
ランダムアクセス可能な記録媒体に記録された複数のフレームからなる画像データを再生する再生ステップと、
前記画像データを再生中に、操作されることによって操作入力信号を生成する操作入力手段によって生成された操作入力信号が入力された場合に、前記操作入力信号が入力された入力時刻に対応するフレームに対して編集処理を開始し、しかる後、当該フレームに対する編集処理を実行する画像編集ステップと、
前記編集処理を施したフレームを少なくとも含む画像データを、画像データを再生した記録媒体と同一の記録媒体に記録する記録処理を開始し、しかる後、当該記録媒体への記録処理を実行する記録ステップと
を含み、
前記画像編集ステップでは、前記画像データを再生中に、操作入力信号が入力された場合に、操作入力信号が入力された第１の時刻から所定時間経過した第２の時刻までの期間に含まれる全てのフレームに対して編集処理を施し、
前記記録ステップでは、前記編集処理を施した結果、全てのフレームを含む画像データの容量が当該編集処理を施す前に編集処理前の画像データが記録されていた第１のアドレスに記録できない容量になった場合に、編集処理を施した全てのフレームを含む画像データのうち、第１のアドレスに記録できない容量の画像データを前記記録媒体の第２のアドレスに記録する画像編集方法。
【発明の詳細な説明】
【０００１】
【発明の属する技術分野】
本発明は、ランダムアクセス可能な記録媒体を用いた画像編集装置、及び、上述の画像編集装置を用いた記録撮影後に行う画像編集方法に関する。
【０００２】
【従来の技術】
画像を記録する媒体として、テープ状記録媒体を用いる映像記録再生装置としては、デジタルカメラがある。このデジタルカメラは、画像信号をデジタル方式の画像データに変換して、圧縮し、テープ状記録媒体に記録し、これを再生する。このデジタルカメラは、テープ状記録媒体に記録された画像データを操作することにより様々な編集処理が可能である。具体的な編集処理としては、例えば、切り出し、削除、並び替え、フェードイン、フェードアウト等、時間軸方向についての処理を行うことが多い。
【０００３】
【発明が解決しようとする課題】
しかしながら、上述の編集処理はいわゆる時間軸方向の編集である。再生中にデジタル方式の画像データを空間方向に編集すること、例えば、デジタルズーム等の処理を、テープ状記録媒体に記録されている画像データに行うことはできなかった。
【０００４】
すなわち、撮影した画像データにズーム処理を施したい場合、使用者は再生画像を一時停止したうえで、ズーム処理を施したい箇所を選択し、ズーム処理を施した。すなわち、画像データに対してズーム処理を施したい場合、撮影時に光学ズーム処理をするしかなく、使用者は不便を強いられていた。
【０００５】
また、再生中に行う空間方向の編集処理では、処理後のデータ量が処理前のデータ量と異なることがある。この場合、編集処理後のデータの一部或いは全部を、媒体の別のアドレスに記録する必要が生ずる。しかし、テープ状記録媒体はランダムアクセスが不可能な媒体であるため、異なるアドレスに記録することはできない。
【０００６】
そこで、本発明はこのような従来の実情に鑑みて提案されたものであり、ディスク状記録媒体に記録した再生中の複数のフレームからなる画像データに、デジタルズーム等の空間方向の編集処理を施す画像編集装置、及び、画像編集方法を提供することを目的とする。
【０００７】
【課題を解決するための手段】
上術の目的を達成するために、本発明に係る画像編集装置は、ランダムアクセス可能な記録媒体に記録された複数のフレームからなる画像データを再生する再生手段と、前記再生手段によって再生される画像データに編集処理を施す画像編集手段と、前記画像編集手段によって編集処理を施された画像データを前記再生手段によって画像データを再生した記録媒体と同一の記録媒体に記録する記録手段と、操作されることによって操作入力信号を生成する操作入力手段と、前記画像データを再生中に、前記操作入力手段によって生成された操作入力信号が入力されると、前記操作入力信号が入力された第１の時刻に対応するフレームに対して編集処理を施すように前記画像編集手段を制御する処理と、前記画像編集手段によって編集処理を施したフレームを少なくとも含む画像データを前記記録媒体に記録するように前記記録手段を制御する処理とを開始する制御手段とを備え、前記制御手段は、前記画像データを再生中に、前記操作入力手段によって生成された操作入力信号が入力された場合に、操作入力信号が入力された第１の時刻から所定時間経過した第２の時刻までの期間に含まれる全てのフレームに対して編集処理を施すように前記画像編集手段を制御すると共に、前記画像編集手段によって編集処理を施した結果、全てのフレームを含む画像データの容量が当該編集処理を施す前に編集処理前の画像データが記録されていた第１のアドレスに記録できない容量になった場合に、編集処理を施した全てのフレームを含む画像データのうち、第１のアドレスに記録できない容量の画像データを前記記録媒体の第２のアドレスに記録するように前記記録手段を制御する。
【０００９】
本発明に係る画像編集方法は、ランダムアクセス可能な記録媒体に記録された複数のフレームからなる画像データを再生する再生ステップと、前記画像データを再生中に、操作されることによって操作入力信号を生成する操作入力手段によって生成された操作入力信号が入力された場合に、前記操作入力信号が入力された入力時刻に対応するフレームに対して編集処理を開始し、しかる後、当該フレームに対する編集処理を実行する画像編集ステップと、前記編集処理を施したフレームを少なくとも含む画像データを、画像データを再生した記録媒体と同一の記録媒体に記録する記録処理を開始し、しかる後、当該記録媒体への記録処理を実行する記録ステップとを含み、前記画像編集ステップでは、前記画像データを再生中に、操作入力信号が入力された場合に、操作入力信号が入力された第１の時刻から所定時間経過した第２の時刻までの期間に含まれる全てのフレームに対して編集処理を施し、前記記録ステップでは、前記編集処理を施した結果、全てのフレームを含む画像データの容量が当該編集処理を施す前に編集処理前の画像データが記録されていた第１のアドレスに記録できない容量になった場合に、編集処理を施した全てのフレームを含む画像データのうち、第１のアドレスに記録できない容量の画像データを前記記録媒体の第２のアドレスに記録する。
【００１１】
【発明の実施の形態】
以下、本発明を適用したカメラシステムについて、図面を参照しながら説明する。
【００１２】
この本発明を適用したカメラシステムは、以下の表１に示すようなＭＤデータ２規格に従って、撮像して得た画像データを光ディスクに記録するとともに、画像データを再生するものである。
【００１３】
【表１】
0004813635.tif 000002
【００１４】
この実施の形態におけるカメラシステムは、図１に示すように、対物レンズ１を含み、撮像信号を生成する光学系と、所定のカメラ処理を行って、画像データを生成するカメラ処理部２と、所定の信号処理を行う画像データ処理部３と、画像データを光ディスクＤに記録するためのデータ形式に変換するメディアドライブ部６と、光ディスクＤに記録再生を行うディスク記録再生部７とから構成される。
【００１５】
光学系は、少なくとも対物レンズ１を含み、入射された光を集光して、カメラ処理部２に含まれるＣＣＤ（Ｃｈａｒｇｅ  Ｃｏｕｐｌｅｄ  Ｄｅｖｉｃｅ）イメージセンサ（以下、ＣＣＤと呼ぶ。）１１に入射する。
【００１６】
カメラ処理部２は、対物レンズ１からの撮像光が照射されるＣＣＤ１１と、ＣＣＤ１１から撮像信号を取り出して、所定のレベルに増幅するサンプルホールド及びオートゲインコントロールアンプ（以下、Ｓ／Ｈ−ＡＧＣと呼ぶ。）１２と、このＳ／Ｈ−ＡＧＣ１２からの撮像信号をデジタル形式に変換するビデオアナログデジタルコンバータ１３と、同期信号を生成するタイミングジェネレータ１４と、カメラ処理部２を構成する各部の制御を行う制御部１５とを備えている。
【００１７】
ＣＣＤ１１は、例えば、水平及び垂直画素が、７６８Ｈ×４９４Ｖで構成される２次元カラーイメージセンサであって、撮像光を原色（Ｒ、Ｇ、Ｂ）あるいは補色（Ｙｅ、Ｃｙ、Ｍｇ）の色コーディングフィルタにより色コーディングされた撮像信号に変換して、Ｓ／Ｈ−ＡＧＣ１２に出力する。
【００１８】
Ｓ／Ｈ−ＡＧＣ１２は、ＣＣＤ１１からの撮像信号について相関２重サンプルホールドを行うとともに、リセット雑音等の除去、及び、ゲインコントロールをして、ビデオデジタルアナログコンバータ１３に出力する。
【００１９】
ビデオデジタルアナログコンバータ１３は、Ｓ／Ｈ−ＡＧＣ１２からの撮像信号を、デジタル方式の画像データに変換する。そしてデジタルアナログコンバータ１３は、画像データを、画像データ処理部３に供給する。
【００２０】
タイミングジェネレータ１４は、上記ＣＣＤ１１、Ｓ／Ｈ−ＡＧＣ１２、ビデオアナログデジタルコンバータ１３の処理に必要な同期信号を生成する。例えば、この同期信号は、ＣＣＤ１１の水平及び垂直画素が７６８Ｈ×４９４Ｖで構成されているものであれば、例えば、１４．３１８ＭＨｚ（４ｆｓｃ）のクロックに基づき生成される。
【００２１】
制御部１５は、カメラ処理部２を構成する各部、及び上述の光学系を制御し、ＣＣＤ１１に入射される光量を調節する。
【００２２】
このとき、制御部１５は、対物レンズ１を制御駆動することで光学的ズームを行う。
【００２３】
また、この図１に示す画像データ処理部３は、色コーディングに対応した信号処理等をする信号処理部１６と、信号処理部１６において処理を行っている画像データを一時格納するメモリ１７と、画像データについて動き補償を行う動き補償部１８と、動き補償部１８のデータを一時格納するメモリ１９と、画像データの圧縮、及び伸張を行うＭＰＥＧ（Ｍｏｖｉｎｇ  Ｐｉｃｔｕｒｅ  Ｅｘｐｅｒｔｓ  Ｇｒｏｕｐ）処理部２０と、ＭＰＥＧ処理部２０のデータを一時格納するメモリ２１と、音声信号処理をする音声処理部２２と、ビデオ信号処理部３を構成する各部を制御する制御部２３とを備えている。
【００２４】
信号処理部１６は、ビデオアナログデジタルコンバータ１３からの画像データに対して、上記ＣＣＤ１１の色コーディングフィルタによる色コーディングに対応したデコード処理等を行い、画像データから輝度（Ｙ）情報、色差（Ｃｒ／Ｃｂ）情報を生成する。
【００２５】
また、信号処理部１６は、光ディスクＤに記録された画像を再生しているときに、メモリ１７に随時展開される画像に、編集処理を施す。なお、この編集処理における信号処理部１６で行う処理の詳細については後述する。
【００２６】
動き補償部１８では、メモリ１９を用いて、信号処理部１６で処理した画像データを用い、マクロブロック単位で動きベクトルを抽出する処理を行い、動き補償を行う。そして、動き補償部１８は、動き補償を施した画像データをＭＰＥＧ処理部２０へ供給する。
【００２７】
ＭＰＥＧ処理部２０は、信号処理部１６からの動き補償された画像データを用いて、ＭＰＥＧ方式で圧縮して、メディアドライブ部６に出力するとともに、メディアドライブ部６からの画像データを伸張する処理を行う。
【００２８】
音声処理部２２は、制御部２３により動作モードが切り替えられて、記録モードの場合には、音声データを高能率符号化圧縮（データ圧縮）するデータ圧縮装置として機能し、再生モードの場合には信号処理部から供給される圧縮音声データを伸張してからインターフェースブロック４へ供給する。
【００２９】
制御部２３は、操作入力部１０からの操作入力信号に基づいて、画像データ処理部３を構成する各部を制御する。
【００３０】
メディアドライブ部６は、画像データをＭＤデータ２規格に準じて、エンコード／デコードするＭＤデータ２変換部２４と、ＭＤデータ２変換部２４のデータを一時格納するメモリ２５と、画像データをＭＤデータ１規格に準じてエンコード／デコードするＭＤデータ１変換部２６と、光ディスクＤから再生した再生信号を抽出するＲＦアンプ２７と、再生信号をデジタル方式の画像データに変換するＲＦアナログデジタルコンバータ２８と、メディアドライブ部６の各部を制御する制御部２９とからなる。
【００３１】
ＭＤデータ２変換部２４は、メモリ２５を用いて、信号処理部１６から出力されたＭＰＥＧ方式の画像データを、ＭＤデータ２規格に準じてエンコードし、ディスク記録再生部７に供給する。また、ＭＤデータ２変換部２４は、再生して得たＭＤデータ２規格の画像データをデコードし、信号処理部１６へ供給する。
【００３２】
ＲＦアンプ２７は、ディスク記録再生部７から供給されたアナログ方式の信号から、再生信号を抽出して、ＲＦアナログデジタルコンバータ２８に出力する。
【００３３】
ＲＦアナログデジタルコンバータ２８は、ＲＦアンプ２７からの再生信号をデジタル方式の画像データに変換し、ＭＤデータ２変換部２４或いはＭＤデータ１変換部２６へ供給する。
【００３４】
制御部２９は、メディアドライブ部６を構成する各部を制御する。
【００３５】
ディスク記録再生部７は、光ディスクＤに磁界を印加する磁気ヘッド３０と、光ディスクＤが装着され、回転させるスピンドルモータ３１と、光ディスクＤにレーザ光を照射して画像データの記録再生を行う光ピックアップ３２と、光ピックアップ３２を光ディスクＤの径方向に移動させるスレッドモータ３３とを備える。
【００３６】
光ピックアップ３２は、記録時において、光ディスクＤに対向するように配置され、記録用の光量のレーザ光を光ディスクＤに照射し、光ディスクＤの光磁気記録層をキュリー温度以上に加熱する。
【００３７】
このとき、磁気ヘッド３０は、局部的に加熱された光ディスクＤの光磁気記録層に、磁界を印加することにより画像データを記録する。
【００３８】
また、光ピックアップ３２は、再生時において、再生用の光量のレーザ光を光ディスクＤの光磁気記録層に照射して、その反射光を検出することにより再生信号を生成してＲＦアンプ２７へ供給する。
【００３９】
光ピックアップ３２は、ＭＤデータ２規格に準拠しており、光の波長λが６５０ｎｍとされ、対物レンズの屈折率ＮＡが０．５２とされている。
【００４０】
スピンドルモータ３１は、光ディスクＤを所定の回転数で回転させる。
【００４１】
スレッドモータ３３は、光ピックアップ３２を目的のトラックまで高速で移動させる。
【００４２】
上記光ディスクＤは、例えば、上記表１に示したようなＭＤデータ２規格に準拠し、図２に示すように、凹状に形成されたランド４２と、ウォブルが形成されたグルーブ４３ａと、ウォブルが形成されないグルーブ４３ｂとが、約０．９５μｍのトラックピッチをもって形成されている。このＭＤデータ２規格において、ランド４２には、記録ビットがビット長を０．３９μｍ／ｂｉｔとして記録されている。
【００４３】
この光ディスクＤは、図３に示すように、ウォブルが形成されたグルーブ４３ａと、ウォブルが形成されないグルーブ４３ｂがスパイラル状に形成されてなる。この光ディスクＤのアドレス方式としては、ウォブルが形成されたグルーブ４３ａがディスク記録再生部７により再生されることにより、絶対アドレスがＦＭ変調及びバイフェーズ変調でエンコードされる、インターレースアドレッシング方式を採用している。
【００４４】
このカメラシステムはさらに、外部との信号の入出力を管理するインターフェース部４と、画像を表示する液晶表示ディスプレイ（以下、ＬＣＤ（Ｌｉｑｕｉｄ  Ｃｒｙｓｔａｌ  Ｄｉｓｐｌａｙ）と呼ぶ。）５とを備える。
【００４５】
インターフェース部４は、画像データをアナログ化するビデオデジタルアナログコンバータ３４と、画像信号をＬＣＤ５へ出力する表示制御部３５と、画像信号をアナログ画像出力端子３９へ出力する出力制御部３６と、アナログ方式の音声信号をデジタル化するアナログデジタルコンバータ３７と、デジタル方式の音声データをアナログ化するデジタルアナログコンバータ３８とを備える。
【００４６】
ビデオデジタルアナログコンバータ３４は、信号処理部１６からのデジタル方式の画像データをアナログ化し、表示制御部３５、及び出力制御部３６に供給する。
【００４７】
表示制御部３５は、アナログ方式の画像信号を、ＬＣＤ５が画像表示できるデータ列に変換して、ＬＣＤ５へ出力する。
【００４８】
出力制御部３６は、アナログ方式の画像信号を、アナログ画像出力端子３９を介して、ビデオデッキ等の出力装置へ出力する。
【００４９】
アナログデジタルコンバータ３７は、ＭＩＣ（マイク）入力端子４０を介してマイクロホン等の音声入力装置から入力される、アナログ音声信号をデジタル化して、音声処理部２２へ供給する。
【００５０】
デジタルアナログコンバータ３８は、音声処理部２２及びＭＤデータ１変換部２６から供給されるデジタル方式の音声データをアナログ化し、アナログ音声出力端子４１を介して、スピーカ等の音声出力装置へ出力する。
【００５１】
ＬＣＤ５は、表示制御部３５からの出力信号に基づいて、画像データを表示する。また、ＬＣＤ５は、例えば、使用者が指で押圧することを検出するタッチセンサを備えた、タッチパネル等の、ポインティングデバイスを兼ね備えていても良い。
【００５２】
さらに、このカメラシステムは、光ディスクＤの着脱を管理するＥＸＴ−インターフェース部８と、各部に電源を供給する電源９と、使用者により操作される操作入力部１０とを備える。
【００５３】
ＥＸＴ−インターフェース部８は、光ディスクの着脱を検出するセンサを備え、検出信号をビデオ信号処理部３の制御部２３に入力する。
【００５４】
電源９は、例えば、バッテリパックからなる。
【００５５】
操作入力部１０は、例えば、キーボード、マウス、タッチパネル等からなり、使用者に操作されることで操作入力信号を生成する。操作入力部１０は、編集を開始する旨の操作入力信号をビデオ信号処理部３に入力することで、編集処理を開始させる。操作入力部１０は、例えば、画像を表示するＬＣＤ５の一部が押圧されたときには、ＬＣＤ５に備えられたタッチセンサからの信号に応じて、画像の少なくとも一部をズームする旨の操作入力信号を生成して制御部２３に供給する。
【００５６】
次に、上述のように構成されたカメラシステムにより、画像を撮像して光ディスクＤに記録する、記録処理について説明する。
【００５７】
このように構成されたカメラシステムは、光ディスクＤに信号を記録するときは、対物レンズ１に入射された光により、ＣＣＤ１１、Ｓ／Ｈ−ＡＧＣ１２、ビデオデジタルアナログコンバータ１３で画像データを生成し、信号処理部１６，ＭＤデータ２変換部２４により、ＭＤデータ２規格に準拠した画像データとし、ディスク記録再生部７により、光ディスクＤに画像データを記録する。
【００５８】
次に、上述のように光ディスクＤに記録された画像データを再生して、ＬＣＤ５に表示する再生処理について説明する。
【００５９】
上述のカメラシステムにより再生するとき、上述した記録処理により光ディスクＤに記録された画像データを、ＭＤデータ２変換部２４によりＭＤデータ２規格に準じてデコードし、一旦メモリ１７に格納し、信号処理部１６においてＭＰＥＧ規格に準じてデコードして、非圧縮の画像データとし、ビデオデジタルアナログコンバータ３４、表示制御部３５を介してＬＣＤ５に表示する。
【００６０】
次に、上述したように光ディスクＤに記録された画像データに編集を施す編集処理について説明する。
【００６１】
上述のカメラシステムは、上述した再生処理による再生中に、操作入力部１０からの編集処理を開始する旨の操作信号が画像データ処理部３の制御部２３に入力されたときに、編集処理を開始する。
【００６２】
例えば、使用者がＬＣＤ５に表示された画像に応じてタッチパネルを押圧することにより操作入力信号を生成したとき、この操作入力信号は制御部２３へ入力され、信号処理部１６がズーム処理を開始する。
【００６３】
具体的には、図４（ａ）に示すように、光ディスクＤからフレームＦ１〜Ｆ８を示す画像データがメモリ１７に読み出されているときに、時刻ｔ1においてズーム処理開始の旨の操作入力信号が入力されることにより、メモリ１７に格納されている画像データが示すフレームＦ２から、所定時間経過後（ｔ2）までの画像データＦ７までを読み出す。次に、信号処理部１６は、読み出した画像データが示すフレームＦ２〜Ｆ７についてズーム処理を施して、編集処理がされたフレームＦ’２〜Ｆ’７を生成し、フレームＦ’２〜Ｆ’７を示す画像データを生成する。
【００６４】
次に、信号処理部１６は、図４（ｂ）に示すように、ズーム処理を施したフレームＦ’２〜Ｆ’７を示す画像データを、フレームＦ２〜Ｆ７を示す画像データに上書きするようにメディアドライブ部６及びディスク記録再生部７を制御する。このとき、信号処理部１６は、編集処理を施した画像データを、ＭＰＥＧ処理部２０へ供給し、圧縮画像データを生成する。圧縮された編集処理後の画像データを、メディアドライブ部６に供給して、ＭＤデータ２規格にエンコードし、光ディスクＤに記録する。
【００６５】
ところで、ズーム処理後のデータ量が、ズーム処理前のデータ量と異なり、光ディスクＤの元のアドレスに、ズーム処理後のデータを記録できない場合がある。
【００６６】
このときには、信号処理部１６は、元のアドレスに収まりきらないズーム処理後のデータを、元のアドレスとは別のアドレスに記録するように制御する。このとき、信号処理部１６は、ズーム処理後のデータの一部を、同一ディスクの別のアドレスに記録したことを示す情報を生成し、ＴＯＣ（Ｔａｂｌｅ  ｏｆ  Ｃｏｎｔｅｎｔｓ）に記録するように制御する。
【００６７】
また、信号処理部１６は、上述したように、ズーム処理後の画像データの一部を他のアドレスに記録する場合のみならず、図５に示したように、ズーム処理を施した画像データの全てを他のアドレスに記録するように制御しても良い。このとき、ズーム処理前の画像データは、消去されずに光ディスクＤ上に保存されているため、ズーム処理を施した画像データの代わりに、ズーム処理前の画像データが再生されるように編集し直すことも可能である。
【００６８】
さらに、信号処理部１６は、上述したように、操作入力信号が制御部２３に入力されてから所定時間経過後にズーム処理を終了する例のみならず、予め所定の時間を使用者により指定して、当該指定された時間のみズーム処理を行っても良い。
【００６９】
さらにまた、信号処理部１６は、ズーム処理を終了する時刻を、上記所定の時間経過後又は指定した時間経過後とする場合のみならず、操作入力部１０からのズーム処理を終了する旨の操作入力信号に応じてズーム処理を終了しても良い。
【００７０】
次に、上述したように、ズーム処理を施して、光ディスクＤに記録した画像データを再生する処理について説明する。
【００７１】
カメラシステムにより、光ディスクＤに記録された画像データを再生しているときに、ズーム処理を施した画像データのアドレスに達したときには、元の画像データに代わって、ズーム処理を施した画像データを再生する。
【００７２】
また、例えばズーム処理後のデータが別のアドレスにも記録されている場合、ＴＯＣの内容にしたがって、ズーム処理後の画像データのアドレスにアクセスし、再生する。そして、ズーム処理後の画像の再生が終わったら、ズーム処理を施した画像データに続いて再生される元の画像データのアドレスにアクセスし、画像データの再生を続ける。
【００７３】
上述のようなカメラシステムにおいて、所期の画像データにズーム処理を施し、ズーム処理後の画像データを光ディスクＤに記録する。したがって、このカメラシステムによれば、媒体としてランダムアクセス可能な光ディスクを用いているため、再生画像をズーム処理前と同様に、時間的に連続して再生することができる。
【００７４】
なお、本発明は、上述のようなカメラシステムに限定されず、図６に示すような、外部から画像データが入力され、光ディスクＤに記録するとともに再生を行う光ディスク記録再生装置にも適用可能である。
【００７５】
この光ディスク記録再生装置における再生時の処理を説明する。
【００７６】
光ディスクＤに記録された信号を再生するときには、光ピックアップ５１により画像データを読み出し、光電変換した後、ＲＦアンプ５２を経て、アナログデジタルコンバータ５３でデジタル方式の画像データに変換する。次に、ＡＧＣ（Ａｍｐ  Ｇａｉｎ  Ｃｏｎｔｒｏｌ）５４、ＥＱＰＬＬ５５を経て、抜き取りクロックが生成され、ビタビデコーダ５６を経て再生データを生成し、復号部５７でＲＬＬ（１，７）方式で復号する。復号された信号は、データバスを介して、メモリ５８に展開され、ＥＣＣ（Ｅｒｒｏｒ  Ｃｏｒｒｅｃｔｉｏｎ  Ｃｏｄｅｓ）復号／符号部５９で誤り訂正ブロック単位にエラー訂正され、さらに再生処理部６０でデスクランブル処理及びＥＤＣデコードが施され、再生した画像データとして、クロック生成部６１で生じたクロック信号と同期して外部の表示装置等に表示される。
【００７７】
次に、光ディスク記録再生装置の記録時の処理について説明する。
【００７８】
この光ディスク記録再生装置は、外部から光ディスクＤに記録する画像データが入力されると、記録処理部６２でスクランブル処理、及びＥＤＣエンコード処理をして、データバスを介してメモリ５８に書き込む。次に、ＥＣＣ復号／符号部５９でエラー訂正パリティを付加し、変調部６３でＲＬＬ（１，７）変調し、ヘッドドライバ６４を経て磁気ヘッド６５へ供給する。また、変調部６３から、レーザドライバ６６へクロック信号が供給される。レーザドライバ６６は、光ディスクＤに与える光量の制御等を行う信号を光ピックアップ５１へ供給する。
【００７９】
次に、上述したように記録再生を行うときに、光ピックアップ５１、光ディスクＤを駆動制御するサーボ系の信号処理を説明する。
【００８０】
この光ディスク記録再生装置は、記録再生を行うとき、光ピックアップ５１からの信号により、マトリックスアンプ６７でサーボエラー信号を抽出して、デジタルサーボプロセッサ６８で位相補償、ゲイン・目標値設定を施す。次に、デジタルサーボプロセッサ６８は、マトリックスアンプ６７からのサーボエラー信号に基づき、光の照射位置を制御する制御信号をピックアップドライバ６９へ出力する。ピックアップドライバ６９は、光ピックアップ５１へピックアップ駆動信号を出力し、光ピックアップ５１のトラッキングの微小調整を行う。
【００８１】
また、マトリックスアンプ６７により、光ピックアップ５１からの信号をバンドパスフィルタ７０に出力して、ウォブル信号を抽出する。ＡＤＩＰ（Ａｄｄｒｅｓｓ  Ｉｎ  Ｐｒｅｇｒｏｏｖｅ）デコーダ７１は、このウォブル信号を復号し、アドレス信号をシステムコントローラ７２へ供給する。トラック判別７３は、このウォブル信号に基づき、ウォブルが形成されたランドか、ウォブルが形成されていないランドかの、トラック判別した結果であるトラック判別信号を、システムコントローラ７２へ供給する。
【００８２】
システムコントローラ７２は、上述のアドレス信号と、トラック判別信号に基づいて、アドレス制御信号を生成し、デジタルサーボプロセッサ６８へ出力する。デジタルサーボプロセッサ６８は、アドレス制御信号に基づき、ドライバ制御信号を生成し、ピックアップドライバ６９へ出力する。ピックアップドライバ６９は、アクチュエータ及びスレッドモータ７４へ、光ピックアップ５１のトラッキングを調整する駆動信号を出力し、アクチュエータ及びスレッドモータ７４を駆動する。
【００８３】
また、この光ディスク記録再生装置は、上述のバンドパスフィルタ７０から生成したウォブル信号を、ＣＬＶ（Ｃｏｎｓｔａｎｔ  Ｌｉｎｅ  Ｖｅｌｏｓｉｔｙ）プロセッサ７５により光ディスクＤの線速度を制御する回転制御信号をデジタルサーボプロセッサ６８へ出力する。デジタルサーボプロセッサ６８は、回転制御信号に基づいてドライバ制御信号をピックアップドライバ６９へ出力する。ピックアップドライバ６９は、光ディスクＤの線速度を所定速度に保つ為の信号をスピンドルモータ７６へ出力する。
【００８４】
上述の光ディスク記録再生装置は、上述した再生処理による再生中に操作入力信号が操作入力部７７に入力されたとき、編集処理を開始する。この操作入力信号は、データバスを介して、記録処理部６２へ供給され、メモリ５８に格納された画像データについて記録処理部６２で上述の図４（ａ）及び図４（ｂ）に示したズーム処理を施して、光ディスクＤに記録する。
【００８５】
したがって、この図６に示すような光ディスク記録再生装置は、図１に示すようなカメラシステムと同様に、光ディスクＤに記録した画像データについてズーム処理を施すことができる。
【００８６】
なお、本発明における編集処理とは、ズーム処理に限られず、空間方向における編集処理であればいかなる処理を施しても良い。
【００８７】
【発明の効果】
以上の説明からも明らかなように、本発明によれば、複数のフレームを含む画像データを再生中に、操作されることによって操作入力信号を生成する操作入力手段によって生成された操作入力信号が入力された場合に、操作入力信号が入力された入力時刻に対応するフレームに対して編集処理を施し、編集処理を施したフレームを含む画像データを記録媒体に記録することが出来る。
【図面の簡単な説明】
【図１】本発明を適用したカメラシステムのブロック構成図である。
【図２】ＭＤデータ２規格に準拠した光ディスクの拡大平面図である。
【図３】ＭＤデータ２規格に準拠した光ディスクのアドレス方式を表した平面拡大図である。
【図４】（ａ）は再生中に操作入力信号が入力されたときの画像データのズーム処理を説明するための図であり、（ｂ）はズーム処理された画像データの編集処理を説明するための図である。
【図５】ズーム処理後のデータの編集処理を説明するための図である。
【図６】本発明を適用した光ディスク記録再生装置のブロック構成図である。
【符号の説明】
１  カメラ処理部、３  画像データ処理部、５  ＬＣＤ、６  メディアドライブ部、７  ディスク記録再生部、１０  操作入力部、１６  信号処理部
【図１】
0004813635.tif 000003
【図２】
0004813635.tif 000004
【図３】
0004813635.tif 000005
【図４】
0004813635.tif 000006
【図５】
0004813635.tif 000007
【図６】
0004813635.tif 000008